(57)【要約】【課題】  電子タグを用いた位置情報追跡システムに関し、ＧＰＳ機能等に依存することなく、携帯電話に通信が不可能な状況に陥っても、児童等の管理対象者の位置情報を追跡する。【解決手段】  固定物１に設置された固定電子タグ２と、識別番号が記録されるとともに、電磁波６を発生させるリーダー機能とバッテリとを有する移動体用電子タグ４と、携帯通信機器端末５の端末電子タグ用リーダーとからなり、携帯通信機器端末５は移動体用電子タグ４と該携帯通信機器端末５とを一定の時間で通信する機能を有し、携帯通信機器端末５と移動体用電子タグ４の通信が途切れた場合、移動体用電子タグ４は内蔵するバッテリを電源として電磁波６を発生させ、識別番号を固定電子タグ２へ発信する。【選択図】          図１
2008113308.tif 000002
【特許請求の範囲】
【請求項１】
固定物に設置された固定電子タグと、識別番号が記録されるとともに、電磁波を発生させるリーダー機能とバッテリとを有する移動体用電子タグと、携帯通信機器端末の端末電子タグ用リーダーとからなり、前記携帯通信機器端末は前記移動体用電子タグと該携帯通信機器端末とを一定の時間で通信する機能を有し、前記携帯通信機器端末と前記移動体用電子タグの通信が途切れた場合、前記移動体用電子タグは前記内蔵するバッテリを電源として電磁波を発生させ、前記識別番号を固定電子タグへ発信することを特徴とする電子タグシステム。
【請求項２】
上記携帯通信機器端末が追跡解除キーを備えており、前記追跡解除キーを押すことによって、前記携帯通信機器端末と上記移動体用電子タグの通信機能を一時停止させることを特徴とする請求項１記載の電子タグシステム。
【請求項３】
上記追跡解除キーを押したのち、予め定めた所定時間を経過した場合に、上記移動体用電子タグにより上記内蔵するバッテリを電源として電磁波を発生させ、上記識別番号を固定電子タグへ発信することを特徴とする請求項２記載の電子タグシステム。
【請求項４】
固定物に設置された固定電子タグ用リーダーと、前記固定電子タグ用リーダーから情報を抽出する情報ネットワークと、得られた情報を管理する管理サーバーと、識別番号が記録された移動体用電子タグと、携帯通信機器端末の端末電子タグ用リーダーからなり、前記携帯通信機器端末には前記移動体用電子タグと該携帯通信機器端末とを一定の時間で通信する機能を有し、前記携帯通信機器端末と前記移動体用電子タグの通信が途切れた場合、前記携帯通信機器端末から前記管理サーバーに情報を発信し、前記固定電子タグ用リーダーから、特定の識別番号の入っている移動体用電子タグの情報のみを読み取ることを特徴とする電子タグシステム。
【請求項５】
固定物に設置された固定電子タグ用リーダーと、前記固定電子タグ用リーダーから情報を抽出する情報ネットワークと、得られた情報を管理する管理サーバーと、識別番号が記録されるとともに電磁波を発生させるリーダー機能とバッテリとを有する移動体用電子タグと、携帯通信機器端末の端末電子タグ用リーダーとからなり、前記携帯通信機器端末には前記移動体用電子タグと該携帯通信機器端末とを一定の時間で通信する機能を有し、前記携帯通信機器端末と前記移動体用電子タグの通信が途切れた場合、前記移動体用電子タグは前記バッテリを電源として電磁波を発生させ、前記識別番号を前記固定物電子タグ用リーダーへ発信することを特徴とする電子タグシステム。
【発明の詳細な説明】
【技術分野】
【０００１】
本発明は電子タグを用いた位置情報追跡システムに関するものであり、特に、電子タグの機能を用いることによってＧＰＳ機能等の特別のシステムを使用せずに物品の移動または人物の移動を後から確実に追跡するための構成に特徴のある電子タグを用いた位置情報追跡システムに関するものである。
【背景技術】
【０００２】
近年、物品に電子タグ、即ち、ＩＣタグを付け、そのＩＣタグ情報を読み取るＩＣリーダーのシステムを応用して、様々なＩＣタグ・システムが展開されている。
【０００３】
例えば、従来、顧客が希望商品を在庫している商店の近くにさしかかったときに、その顧客の携帯電話に希望商品の在庫がある旨の情報を通知するようにした商品陳列場所通知システムが知られている（例えば、特許文献１参照）。
【０００４】
このシステムは、希望商品の商品名、型番、サイズ、色などの詳細な商品特定情報、例えば、カタログ記載の商品番号などの情報を指定することができるので、希少な商品を探し出すのに有効である。
【０００５】
これとは別に、ａｕ（登録商標）携帯電話を活用し子供の居場所や出欠状態を確認できる「通学ケータイ」の提供開始されている（例えば、非特許文献１参照）。
この「通学ケータイ」とは、ａｕ（登録商標）携帯電話ならではの高精度なＧＰＳ機能を生かし、学校の敷地や校舎外ではＧＰＳを利用し位置情報を取得するものである。
【０００６】
また、ＧＰＳに加えて、校舎などの建物内では、Ｂｌｕｅｔｏｏｔｈ情報標識インフォサインＲ（登録商標）を利用して位置特定を行うことにより、半径１０ｍ程度のエリア単位までの正確な位置検知を行うことが可能となり、広範囲かつきめの細かい管理をするものである。
これにより、校内に限らず通学中の子供の居場所を確認することができ、安心して学校に子供を通わせることができる。
【０００７】
この場合の通学中における位置情報の取得は、児童の持つ携帯電話に搭載されたＢＲＥＷＲ（登録商標）アプリケーションが学校の登校／下校時間や出欠状態に合わせて自動的に行うため、携帯電話を持っている児童側からの操作は不要となる。
【０００８】
保護者や教師は、インターネット接続環境にあるＰＣ（パーソナルコンピュータ）や携帯電話から専用Ｗｅｂサイトにアクセスし、簡単に児童の現在位置を確認することが可能である他、出欠管理機能、防犯情報や連絡事項のメール配信機能も備えている。
【０００９】
例えば、現在位置確認としては、児童の所持する携帯電話から自動送信される位置情報を取得することにより、児童の現在位置を専用のＷｅｂ画面、または携帯電話よりリアルタイムに確認することができる。
また、センタープッシュ機能を利用することにより、保護者や教師は、簡単に児童の現在位置をいつでも確認することができる。
【００１０】
その他に、児童が登校／下校したことをインターネットを介してリアルタイムで保護者や学校にメールで通知する登校・下校・自動通知機能、専用のＷｅｂ画面により、クラスごとの出欠状況を確認することもできる出欠管理機能、児童からのお助けコールを受け取り、事前に通知先として登録されたメールアドレスに通知するお助けコール機能、防犯情報を学校や保護者等の登録されているメールアドレスに配信する防犯情報配信機能、及び、専用のＷｅｂ画面より、クラスの連絡網にアクセスする連絡網機能等も備わっている。
【特許文献１】特開２００１−１４９７７３号公報
【非特許文献１】ｈｔｔｐ：／／ｗｗｗ．ｋｄｄｉ．ｃｏｍ／ｃｏｒｐｏｒａｔｅ／ｎｅｗｓ＿ｒｅｌｅａｓｅ／２００５／１００３ａ／ｂｅｓｓｈｉ．ｈｔｍｌ
【発明の開示】
【発明が解決しようとする課題】
【００１１】
しかしながら、上述のような携帯電話サービスを用いて、自分の子供の情報を得るシステムでは、
Ａ．携帯電話でＧＰＳ信号が受信可能であること、
Ｂ．携帯電話の電源がオンしている状態であること、及び、                          Ｃ．電話通信エリアであること
のＡ乃至Ｃの各要件が成り立たないと位置情報を得ることができないという問題がある。
【００１２】
即ち、例えば、児童誘拐事件の場合、携帯電話で足取りが判ってしまうので、誘拐犯が携帯電話の電源を切ってしまう可能性が高く、また、携帯電話の電源が入ったままでも、通話エリアの外へ出てしまうと位置が判らなくなるため、これらの状況の場合には、児童の位置が検知できなくなる。
【００１３】
したがって、本発明は、ＧＰＳ機能等に依存することなく、携帯電話に通信が不可能な状況に陥っても、児童等の管理対象者の位置情報を追跡することを可能にすることを目的とする。
【課題を解決するための手段】
【００１４】
図１は本発明の原理的構成図であり、ここで図１を参照して、本発明における課題を解決するための手段を説明する。
図１参照
上記課題を解決するために、本発明は、電子タグシステムであって、固定物１に設置された固定電子タグ２と、識別番号が記録されるとともに、電磁波６を発生させるリーダー機能とバッテリとを有する移動体用電子タグ４と、携帯通信機器端末５の端末電子タグ用リーダーとからなり、携帯通信機器端末５は移動体用電子タグ４と該携帯通信機器端末５とを一定の時間で通信する機能を有し、携帯通信機器端末５と移動体用電子タグ４の通信が途切れた場合、移動体用電子タグ４は内蔵するバッテリを電源として電磁波６を発生させ、識別番号を固定電子タグ２へ発信することを特徴とする。
【００１５】
このようシステムを構成することによって、ＧＰＳ機能等に依存することなく、携帯電話等の携帯通信機器端末５の通話エリアにおいても、電信柱、交通信号機、或いは、交通標識等の固定物１に設置された固定電子タグ（ＩＣタグ）２に、識別番号が記録されるため、後で足取りを追跡することが可能になる。
なお、この場合の移動体３とは、典型的には学童等の人間であるが、ペットに対しても適用されるものである。
【００１６】
この場合、携帯通信機器端末５に追跡解除キーを備え、追跡解除キーを押すことによって、携帯通信機器端末５と移動体用電子タグ４の通信機能を一時停止させるように構成することが望ましく、それによって、移動体用電子タグ４からバッテリを電源として電磁波６が発生しないので、移動体用電子タグ４のバッテリ消費を防ぐと共に、無駄な情報を発信しないようにすることができる。
【００１７】
この場合、追跡解除キーを押したのち、予め定めた所定時間（例えば、２４時間）を経過した場合に、移動体用電子タグ４により内蔵するバッテリを電源として電磁波６を発生させ、識別番号を固定電子タグ２へ発信するように構成することが望ましい。
【００１８】
通常、長い間、追跡解除キーをオフにすることは考えられないため、長時間セキュリティー解除されたままの場合、事件にまきこまれた可能性が高いので、自動的に移動体用電子タグ４から情報を発信するように機能させることによって、自動的に事件の発生を認識して追跡を開始することができる。
【００１９】
また、携帯通信機器端末５と移動体用電子タグ４の通信が途切えたのち、再度、携帯通信機器端末５と移動体用電子タグ４の通信が再開された場合、移動体用電子タグ４における電磁波６の発生を中止するように構成することが望ましく、それによって、移動体用電子ＩＣタグのバッテリ消費を防ぐとともに、無駄な情報を発信しないようにすることができる。
【００２０】
なお、固定電子タグ２は、移動体用電子タグ４から発信された電磁波６から電力を得、移動体用電子タグ４から発信された識別番号を記録するように構成することが望ましく、それによって、固定電子タグ２にバッテリを搭載する必要がないため、非常に安価なコストで固定電子タグ２の網を張ることができる。
【００２１】
また、固定電子タグ２に記録した情報は、予め定めた所定期間の経過後に消去するように構成することが望ましく、それによって、固定電子タグ２に搭載するメモリの容量を小さく、例えば、６４ｋビット程度に抑えることができる。
なお、書き込みの上限まできた場合は、過去のデータから上書きするように構成しても良い。
【００２２】
また、固定電子タグ２に記録された情報の読み取りの際に、暗号コードを必要とするように構成することが望ましく、それによって、盗聴マニア等の一般人がデータ収集することはできず、暗号コードを保持する警察・行政機関等のみが記録情報を読み取ることになるので、個人のプライバシーを保護することが可能になる。
【００２３】
また、固定電子タグ２は、移動体用電子タグ４から発信された識別番号とととに、発信日時を記録できるように構成しても良く、それによって、どの様な経路で移動したか判断することが可能になる。
【００２４】
また、他のシステム構成としては、固定物１に設置された固定電子タグ用リーダーと、固定電子タグ用リーダーから情報を抽出する情報ネットワークと、得られた情報を管理する管理サーバーと、識別番号が記録された移動体用電子タグ４と、携帯通信機器端末５の端末電子タグ用リーダーからなり、携帯通信機器端末５には移動体用電子タグ４と該携帯通信機器端末５とを一定の時間で通信する機能を有し、携帯通信機器端末５と移動体用電子タグ４の通信が途切れた場合、携帯通信機器端末５から管理サーバーに情報を発信し、固定電子タグ用リーダーから、特定の識別番号の入っている移動体用電子タグ４の情報のみを読み取るように構成しても良い。
【００２５】
このように構成することによって、リアルタイムで移動体用電子タグ４の情報を得ることができるようになるとともに、無駄な情報を収集しないため、回線負荷のかからない状態で、情報収集することができる。
【００２６】
この場合、携帯通信機器端末５と移動体用電子タグ４の通信が途切えたのち、再度、携帯通信機器端末５と移動体用電子タグ４の通信が再開された場合、携帯通信機器端末５から管理サーバーに情報を発信し、特定の識別番号の入っている移動体用電子タグ４の情報収集を中止するように構成することが望ましく、それによって、無駄な情報の収集を回避することができる。
【００２７】
また、固定電子タグ用リーダーは、その通信範囲から移動体用電子タグ４に内蔵されている情報を読み取り、読み取った情報と得たい情報とを比較し、得たい情報と合致した場合のみ、電子タグ用リーダーのメモリ部へ読み取った情報を記憶するように構成することが望ましく、それによって、無駄な情報の収集を回避することができる。
【００２８】
また、携帯通信機器端末５に追跡解除キーを備え、追跡解除キーを押すことによって、携帯通信機器端末５と移動体用電子タグ４の通信機能を一時停止させるとともに、携帯通信機器端末５の管理サーバーに対する通信機能を一時停止させるように構成することが望ましく、それによって、携帯通信機器端末５から管理サーバーに無駄な情報を発信することがなくなる。
【００２９】
また、追跡解除キーを押したのち、予め定めた所定時間（例えば、２４時間）を経過した場合に、携帯通信機器端末５から管理サーバーに情報を発信し、固定電子タグ用リーダーから、特定の識別番号の入っている移動体用電子タグ４に内蔵されている情報のみを読み取るように構成することが望ましく、それによって、自動的に事件の発生を認識して追跡を開始することができる。
【００３０】
また、他のシステム構成としては、固定物１に設置された固定電子タグ用リーダーと、固定電子タグ用リーダーから情報を抽出する情報ネットワークと、得られた情報を管理する管理サーバーと、識別番号が記録されるとともに電磁波６を発生させるリーダー機能とバッテリとを有する移動体用電子タグ４と、携帯通信機器端末５の端末電子タグ用リーダーとからなり、携帯通信機器端末５には移動体用電子タグ４と該携帯通信機器端末５とを一定の時間で通信する機能を有し、携帯通信機器端末５と移動体用電子タグ４の通信が途切れた場合、移動体用電子タグ４はバッテリを電源として電磁波６を発生させ、識別番号を固定物１電子タグ用リーダーへ発信するように構成しても良い。
【００３１】
このように構成することによって、リアルタイムで移動体用電子タグ４の情報を得ることができるようになるとともに、無駄な情報を収集しないため、回線負荷のかからない状態で、情報収集することができる。
【００３２】
また、管理サーバーが、識別番号の移動履歴の確認機能を有するように構成しても良く、それによって、誘拐事件等の事件が発生した場合は、直ちにモニターで監視・追跡することができる。
【００３３】
また、この場合の移動体用電子タグ４の通信周波数としては、どのような周波数でも良いが、４３３ＭＨｚ〜９６０ＭＨｚ（ＵＨＦ）が望ましく、１３．５６ＭＨｚや２．４５ＧＨｚのＩＣタグに比べて相対的に通信範囲が広くなる。
なお、一般の通信におけるＵＨＦは３００ＭＨｚ〜３ＧＨｚの周波数帯を指すが、ＩＣタグ分野においては、現在のところ４３３ＭＨｚ帯、８６０ＭＨｚ〜９６９０ＭＨｚ帯を指す。
【００３４】
また、移動体電子タグに内蔵されるメモリ部は、フラッシュメモリー、強誘電体メモリ、或いは、磁気ランダムアクセスメモリ（ＭＦＲＡＭ）のうちのいずれかで構成すれば良く、特に、強誘電体メモリ（ＦｅＦＲＡＭ）は省消費電力で且つ書き込み読み出し速度が速いため好適である。
【発明の効果】
【００３５】
本発明によれば、ＩＣタグの網が児童等の移動体の履歴を残すため、どのような場所に隠れようとも足取りが追え、したがって、誘拐すること自体、犯人にとってリスクとなり、誘拐犯罪の発生減少に繋がる。
さらに、児童が誘拐された場合でも、直ぐに児童の追跡が可能となるため、近くの住民の聞き込み作業をせずとも捜査を進めることが出来るようになり、犯罪の抑制と、早期の事件解決に寄与することができる。
【発明を実施するための最良の形態】
【００３６】
本発明は、電信柱、交通信号機、或いは、交通標識等の固定物に設置された固定ＩＣタグ（パッシブ型）と、学童等の人間やペット等の移動体に携行させるとともに識別番号を記録し、電磁波を発生させるリーダー機能とバッテリとを移動体用ＩＣタグ（アクティブ型）と、携帯電話を代表とするモバイル端末等の携帯通信機器端末の端末ＩＣリーダーとからシステムを構成し、携帯通信機器端末に移動体用ＩＣタグと携帯通信機器端末とを一定の時間で間欠的に通信を繰り返す機能をもたせ、携帯通信機器端末と移動体用ＩＣタグの通信が途切れた場合、移動体用ＩＣタグが内蔵するバッテリを電源として電磁波を発生させ、識別番号を固定ＩＣタグへ発信させて、移動体の行動を追跡するものである。
【００３７】
また、本発明は、電信柱、交通信号機、或いは、交通標識等の固定物に設置された固定ＩＣリーダーと、固定ＩＣリーダーから情報を抽出する情報ネットワークと、得られた情報を管理する管理サーバーと、学童等の人間やペット等の移動体に携行させる識別番号を記録した移動体用ＩＣタグ（パッシブ型）と、携帯電話を代表とするモバイル端末等の携帯通信機器端末の端末ＩＣリーダーとからシステムを構成し、携帯通信機器端末に移動体用ＩＣタグと携帯通信機器端末とを一定の時間で間欠的に通信を繰り返す機能をもたせ、携帯通信機器端末と移動体用ＩＣタグの通信が途切れた場合、携帯通信機器端末から管理サーバーに情報を発信し、固定ＩＣリーダーから、特定の識別番号の入っている移動体用ＩＣタグの情報のみを読み取り、移動体の行動を追跡するものである。
【００３８】
また、本発明は、電信柱、交通信号機、或いは、交通標識等の固定物に設置された固定ＩＣリーダーと、固定ＩＣリーダーから情報を抽出する情報ネットワークと、得られた情報を管理する管理サーバーと、学童等の人間やペット等の移動体に携行させるとともに識別番号を記録し、電磁波を発生させるリーダー機能とバッテリとを移動体用ＩＣタグ（アクティブ型）と、携帯電話を代表とするモバイル端末等の携帯通信機器端末の端末ＩＣリーダーとからシステムを構成し、携帯通信機器端末に移動体用ＩＣタグと携帯通信機器端末とを一定の時間で間欠的に通信を繰り返す機能をもたせ、携帯通信機器端末と移動体用ＩＣタグの通信が途切れた場合、移動体用ＩＣタグは内蔵するバッテリを電源として電磁波を発生させ、識別番号を固定物ＩＣリーダーへ発信して、移動体の行動を追跡するものである。
【実施例１】
【００３９】
ここで、図２乃至図４を参照して、本発明の実施例１の位置情報追跡システムを説明する。
図２参照  
図２は、本発明の実施例１の位置情報追跡システムの概念的構成図であり、例えば、児童等の移動体１１に携行させる個人ＩＣタグ２０、典型的には携帯電話であるところのＩＣリーダーを構成するモバイル端末３０、電信柱等の固定物１２に固定する固定ＩＣタグ４０によって構成される。
なお、この場合の各ＩＣタグは、ＵＨＦタグとする。
【００４０】
この場合、個人ＩＣタグ２０はシャツのボタン等の衣類に装着したり、腕時計の内部に装着したり、靴の中に装着すれば良く、一方、固定ＩＣタグ４０は、下図に示すように、所定の最小間隔を保つように例えば、道路に沿って設置されている電信柱、信号機、及び、交通標識に適宜設置・固定するものである。
なお、図においては、個人ＩＣタグ２０は１個としているが、複数個を異なった箇所、例えば、シャツのボタン、腕時計の内部及び靴の中に装着するようにしても良い。
【００４１】
図３参照  
この場合の個人ＩＣタグ２０は、上段図に示すように、バッテリを備えたアクティブ型ＩＣタグからなり、アンテナ２１、整流器２２、復調器２３、変調器２４、制御部２５、メモリ部２６、及び、薄型乾電池等のバッテリ２７で構成され、メモリ部２６は書換え可能なＦＲＡＭ２６1 と書換え不可のＲＯＭ２６2 からなる。
【００４２】
この場合のメモリ部２６はＩＣタグの用途に応じた種々の情報を記憶するものであり、ここでは、個人ＩＣタグ２０の携行者の識別番号を記憶するものとする。
また、制御部２５は、ＩＣタグの用途に応じた種々の処理を行う。
【００４３】
アンテナ２１が受信する信号は、整流器２２及び復調器２３に供給され、整流器２２においては、アンテナ２１自身のインダクタンスとコンデンサ（図示は省略）とによる共振作用により昇圧された交流電圧を直流電圧に整流して、復調器２３、変調器２４、制御部２５、メモリ部２６に供給する。
【００４４】
一方、復調器２３はアンテナ２１を介して受信した信号を復調して制御部２５に供給し、制御部２５はメモリ部２６から識別番号等の必要とする情報を読み出し、読み出した信号を変調器２４で変調してアンテナ２１を介して無線送信する。
【００４５】
また、モバイル端末３０は、中段図に示すように、アンテナ３１、送信器３２、受信器３３、制御部３４、メモリ部３５、及び、バッテリ３６で構成され、この場合のメモリ部３５も書換え可能なＦＲＡＭ３５1 と書換え不可のＲＯＭ３５2 からなる。
【００４６】
このモバイル端末３０においては、送信器３２からアンテナ３１を介して個人ＩＣタグ２０に情報信号を含んだ電波を送信するとともに、個人ＩＣタグ２０からの信号をアンテナ３１を介して受信器３３で受信し、受信した識別番号等の情報を含む信号を制御部３４に供給する。
【００４７】
また、固定ＩＣタグ４０は、下段図に示すように、バッテリを備えないパッシブ型ＩＣタグからなり、アンテナ４１、整流器４２、復調器４３、変調器４４、制御部４５、及び、メモリ部４６で構成され、メモリ部４６は書換え可能なＦＲＡＭ４６1 と書換え不可のＲＯＭ４６2 からなる。
【００４８】
この固定ＩＣタグ４０は、後述するように、個人ＩＣタグ２０とモバイル端末３０との間の通信が途絶えた場合には、個人ＩＣタグ２０から発信される識別番号等の情報を含む信号をアンテナ４１で受信し、受信した信号から整流器４２において直流電力を発生させるとともに、復調器４３において信号を復調して制御部４５に供給し、制御部４５においては、供給された識別番号等の情報をＦＲＡＭ４６1 に格納する。
なお、この固定ＩＣタグ４０に備えられたＦＲＡＭ４６1 の容量は、目的によって異なるが、簡単な位置情報追跡だけであるならば６４ｋｂｉｔ程度あれば十分である。
【００４９】
図４参照  
図４は、本発明の実施例１の位置情報追跡システムにおける動作フローチャートであり、まず、
ａ．個人ＩＣタグ２０を移動体１１、例えば、学童等のシャツのボタンに取り付け、次い    で、
ｂ．移動体１１が携行するモバイル端末３０と個人ＩＣタグ２０との間で通信を開始する    。次いで、
ｃ．任意の設定時間、例えば、２分毎に通信処理を行い、両者の間で通信が可能な場合に    は、工程ｃのチェック動作を繰り返し、通信が不可能な場合には、
ｄ．個人ＩＣタグ２０のバッテリ２７を電源として、識別番号を含んだ電波を発信する。
次いで、
ｅ．移動体１１に直近の固定ＩＣタグ４０が個人ＩＣタグ２０から発信される電波をキャ    ッチし、次いで、
ｆ．固定ＩＣタグ４０においてキャッチした識別番号を含んだ情報をメモリ部４６を構成    するＦＲＡＭ４６1 に格納する。
【００５０】
このｄ乃至ｆの工程は、移動体１１が発見されるまで移動経路に沿って移動体１１に直近の固定ＩＣタグ４０によって行われることになり、各固定ＩＣタグ４０のＦＲＡＭ４６1 に格納された情報を集約することによって、ＧＰＳ機能等に依存することなく、且つ、携帯通信機器端末５の通話エリア外においても追跡が可能になる。
なお、ｂ及びｃの工程における個人ＩＣタグ２０の動作電源としては、整流器２１によって供給される電力を用いる。
【００５１】
この実施例１においては児童誘拐を想定しているが、児童誘拐事件の場合、携帯電話で足取りが判ってしまうので、誘拐犯が携帯電話の電源を切ってしまう可能性が高く、それによって、モバイル端末３０と個人ＩＣタグ２０との間の通信が不可能になるが、上記ｄ乃至ｆの動作により移動痕跡が固定ＩＣタグ４０に記録されることになる。
また、位置追跡段階に入った時にはモバイル端末３０の機能を使用していないので、モバイル端末３０が通話エリアの外へ出てしまった場合にも、位置追跡が可能となる。
【実施例２】
【００５２】
次に、図５を参照して、本発明の実施例２の位置情報追跡システムを説明するが、この場合には、基本的システム、各ＩＣタグ及びＩＣリーダーの構成は上記の実施例１と同様であるので、動作フローのみを説明する。
但し、この場合、モバイル端末３０に位置情報追跡を解除する解除キーが設けられているものとし、学童等のモバイル端末３０の携行者が学習塾や音楽会等のモバイル端末３０の電源を切ることを要請される場所に入った場合を想定するものである。
【００５３】
図５参照  
図５は、本発明の実施例２の位置情報追跡システムにおける動作フローチャートであり、まず、
ａ．個人ＩＣタグ２０を移動体１１、例えば、学童等のシャツのボタンに取り付け、次い    で、
ｂ．移動体１１が携行するモバイル端末３０と個人ＩＣタグ２０との間で通信を開始する    。次いで、
ｇ．モバイル端末３０の解除キーを押したか否かをチャックし、解除キーを押していない    場合には、定期的通信動作を繰り返し、一方、解除キーを押した場合には、
ｈ．個人ＩＣタグ２０のＦＲＡＭ２６1 に解除キーを押した時刻を記録する。次いで、再    び、上記の実施例１と同様に、
ｉ．任意の設定時間、例えば、１時間経過したかをモバイル端末３０でチェックし、所定    の設定時間が経過するまで定期的にチェックを繰り返し、所定の時間が経過した場合    には、
ｄ．個人ＩＣタグ２０のバッテリ２７を電源として、識別番号を含んだ電波を発信する。    次いで、
ｅ．移動体１１に直近の固定ＩＣタグ４０が個人ＩＣタグ２０から発信される電波をキャ    ッチし、次いで、
ｆ．固定ＩＣタグ４０においてキャッチした識別番号を含んだ情報をメモリ部４６を構成    するＦＲＡＭ４６1 に格納する。
【００５４】
この場合も、ｄ乃至ｆの工程は、移動体１１が発見されるまで移動経路に沿って移動体１１に直近の固定ＩＣタグ４０によって行われることになり、各固定ＩＣタグ４０のＦＲＡＭ４６1 に格納された情報を集約することによって、ＧＰＳ機能等に依存することなく、且つ、携帯通信機器端末５の通話エリア外においても追跡が可能になる。
【００５５】
なお、上記のｇの工程において、解除キーを押すためには、何らかの暗号コードを入力しないと解除できないようにすることが望ましく、犯人が解除キーを押すことによって時間的な余裕を作らせないようにするために有効となる。
【００５６】
さらに、解除キーモードに入った場合には、任意で１時間、２時間、或いは、８時間等の時間設定が可能なように構成することが望ましく、例えば、飛行機に乗る場合に、フライト所要時間に合わせて時間設定を行うとともに、設定した時間を個人ＩＣタグ２０に転送して記憶させ、個人ＩＣタグ２０が作動しないように設定することができる。
【００５７】
この実施例２においては、携帯電話の使用が憚られる学習塾や音楽会や美術展のような静寂さが要求される場所から誘拐される場合を想定しており、学習塾や音楽会や美術展において、所定時間経過した後も解除状態が継続されている場合には、児童誘拐事件が発生したと自動的に判断され、ｄ乃至ｆの位置自動追跡動作が開始されることになる。
【実施例３】
【００５８】
次に、図６を参照して、本発明の実施例３の位置情報追跡システムを説明するが、この場合も、基本的システム、各ＩＣタグ及びＩＣリーダーの構成は上記の実施例１と同様であるので、動作フローのみを説明する。
【００５９】
図６参照  
図６は、本発明の実施例３の位置情報追跡システムにおける動作フローチャートであり、まず、上記の実施例１と全く同様に、
ａ．個人ＩＣタグ２０を移動体１１、例えば、学童等のシャツのボタンに取り付け、次い    で、
ｂ．移動体１１が携行するモバイル端末３０と個人ＩＣタグ２０との間で通信を開始する    。次いで、
ｃ．任意の設定時間、例えば、２分毎に通信処理を行い、両者の間で通信が可能な場合に    は、工程ｃのチェック動作を繰り返し、通信が不可能な場合には、
ｄ．個人ＩＣタグ２０のバッテリ２７を電源として、識別番号を含んだ電波を発信する。
次いで、
ｅ．移動体１１に直近の固定ＩＣタグ４０が個人ＩＣタグ２０から発信される電波をキャ    ッチし、次いで、
ｆ．固定ＩＣタグ４０においてキャッチした識別番号を含んだ情報をメモリ部４６を構成    するＦＲＡＭ４６1 に格納する。
【００６０】
次いで、実施例３の特徴点である、
ｊ．モバイル端末３０と個人ＩＣタグ２０との間で通信が再開されたか否かをチェック、    再開されていない場合には、位置情報追跡動作を継続し、通信が再開された場合には    、
ｋ．個人ＩＣタグ２０における電波の発信を停止する。
【００６１】
この実施例３においては、携帯電話を置き忘れた場合等を想定しており、携帯電話を取りに戻って通信が再開した場合には、誘拐事件ではないことになり、個人ＩＣタグにおける電波の発信を停止することによって、無駄な情報を発信を回避するとともに、内蔵するバッテリーの無駄な消費を抑えることができる。
なお、通信が再開しない場合には、児童誘拐が発生しているとして、ｄ乃至ｆの位置自動追跡動作が継続されることになる。
【実施例４】
【００６２】
次に、図７を参照して、本発明の実施例４の位置情報追跡システムを説明するが、この場合には、基本的システム、各ＩＣタグ及びＩＣリーダーの構成は上記の実施例１と同様であるので、動作フローのみを説明する。
【００６３】
図７参照  
図７は、本発明の実施例４の位置情報追跡システムにおける動作フローチャートであり、まず、上記の実施例１と全く同様に、
ａ．個人ＩＣタグ２０を移動体１１、例えば、学童等のシャツのボタンに取り付け、次い    で、
ｂ．移動体１１が携行するモバイル端末３０と個人ＩＣタグ２０との間で通信を開始する    。次いで、
ｃ．任意の設定時間、例えば、２分毎に通信処理を行い、両者の間で通信が可能な場合に    は、工程ｃのチェック動作を繰り返し、通信が不可能な場合には、
ｄ．個人ＩＣタグ２０のバッテリ２７を電源として、識別番号を含んだ電波を発信する。
次いで、
ｅ．移動体１１に直近の固定ＩＣタグ４０が個人ＩＣタグ２０から発信される電波をキャ    ッチし、次いで、
ｆ．固定ＩＣタグ４０においてキャッチした識別番号を含んだ情報をメモリ部４６を構成    するＦＲＡＭ４６1 に格納する。
【００６４】
次いで、実施例４の特徴点である、
ｌ．各固定ＩＣタグ４０に記録された特定の情報が記録から予め定めた所定の時間、例え    ば、１週間経過したか否かをチェックし、経過していない場合にはチェックを継続し    、経過した場合には、
ｍ．固定ＩＣタグ４０から該当する特定の情報の消去を行うか、或いは、特定の情報が格    納されたメモリセル領域の上書き禁止を解除して、他の情報を上書きを可能にする。
【００６５】
この実施例４においては、メモリ部を構成するＦＲＡＭの容量が満杯になる前に一番古い情報から削除或いは上書きを可能にしているので、メモリ部を構成するＦＲＡＭの容量は６４ｋｂｉｔ等の安価な低容量メモリで充分となり、それによって、位置情報追跡システムを構成するために膨大な数を要する固定ＩＣタグを安価な固定ＩＣタグとすることによってシステムの低コスト化が可能になる。
【実施例５】
【００６６】
ここで、図８乃至図１０を参照して、本発明の実施例５の位置情報追跡システムを説明する。
図８参照  
図８は、本発明の実施例５の位置情報追跡システムの概念的構成図であり、例えば、児童等の移動体１１に携行させる個人ＩＣタグ５０、典型的には携帯電話であるところのＩＣリーダーを構成するモバイル端末３０、電信柱等の固定物１２に固定する固定ＩＣリーダー６０、及び、固定ＩＣリーダー６０からの情報を管理する管理サーバー７０とで構成され、固定ＩＣリーダー６０と管理サーバー７０との間には情報ネットワークが形成される。
【００６７】
なお、この場合のＩＣタグ５０は、ＵＨＦタグとし、この場合も、個人ＩＣタグ５０はシャツのボタン等の衣類に装着したり、腕時計の内部に装着したり、靴の中に装着すれば良く、一方、固定ＩＣタグ４０は、下図に示すように、所定の最小間隔を保つように例えば、道路に沿って設置されている電信柱、信号機、及び、交通標識に適宜設置・固定するものである。
【００６８】
図９参照  
この場合の個人ＩＣタグ５０は、上段図に示すように、バッテリを持たないパッシブ型ＩＣタグからなり、アンテナ５１、整流器５２、復調器５３、変調器５４、制御部５５、及び、メモリ部６６で構成され、メモリ部５６は書換え可能なＦＲＡＭ５６1 と書換え不可のＲＯＭ５６2 からなる。
【００６９】
また、モバイル端末３０は、中段図に示すように、上記の実施例１と全く同様に、アンテナ３１、送信器３２、受信器３３、制御部３４、メモリ部３５、及び、バッテリ３６で構成され、この場合のメモリ部３５も書換え可能なＦＲＡＭ３５1 と書換え不可のＲＯＭ３５2 からなる。
【００７０】
また、固定ＩＣリーダー６０は、下段図に示すように、モバイル端末３０と同様に、アンテナ６１、送信器６２、受信器６３、制御部６４、メモリ部６５、及び、バッテリ６６で構成され、この場合のメモリ部６５も書換え可能なＦＲＡＭ６５1 と書換え不可のＲＯＭ６５2 からなる。
なお、この場合のバッテリ６６は、固定物１２に備わっている電源を利用してもよい。
【００７１】
図１０参照  
図１０は、本発明の実施例５の位置情報追跡システムにおける動作フローチャートであり、まず、
ａ．個人ＩＣタグ５０を移動体１１、例えば、学童等のシャツのボタンに取り付け、次い    で、
ｂ．移動体１１が携行するモバイル端末３０と個人ＩＣタグ２０との間で通信を開始する    。次いで、
ｃ．任意の設定時間、例えば、２分毎に通信処理を行い、両者の間で通信が可能な場合に    は、工程ｃのチェック動作を繰り返し、通信が不可能な場合には、
ｎ．モバイル端末３０から管理サーバー７０に情報を発信する。次いで、
ｏ．管理サーバー７０から管理サーバー７０と情報ネットワークを形成している各固定Ｉ    Ｃリーダー６０に情報、即ち、情報を収集する固定ＩＣタグ５０の識別番号を発信し    、次いで、
ｐ. 固定ＩＣリーダー６０で近傍を通過する個人ＩＣタグ５０のメモリ部５６に格納され    ている識別番号の収集を開始し、固定ＩＣリーダー６０に必要な情報か否か、即ち、    通過する個人ＩＣタグ５０の識別番号か否かを判定し、必要な情報でない場合には情    報収集を繰り返し、必要な情報の場合には、
ｑ．固定ＩＣリーダー６０のＦＲＡＭ６５1 に収集した情報を記録する。次いで、
ｒ．固定ＩＣリーダー６０から管理サーバー７０へデータを送信する。
【００７２】
この実施例５においては固定物１２にＩＣリーダーを固定し、この固定ＩＣリーダー６０と管理サーバー７０との間に情報ネットワークを形成しているので、誘拐事件が発生した場合、管理サーバー７０から送信された識別番号を有する固定ＩＣタグ５０の情報のみ収集するように構成しているので、リアルタイムで必要とする個人ＩＣタグ５０の情報を収集することができる。
また、必要とする特定の固定ＩＣタグ５０の情報しか収集・記録しないので、無駄な情報を収集することがなく、回線負荷のかからない状態で情報を収集することができる。
【実施例６】
【００７３】
次に、図１１を参照して、本発明の実施例６の位置情報追跡システムを説明するが、この場合には、基本的システム及び各ＩＣタグ及びＩＣリーダーの構成は上記の実施例５と同様であるので、動作フローのみを説明する。
【００７４】
図１１参照  
図１１は、本発明の実施例６の位置情報追跡システムにおける動作フローチャートであり、まず、
ａ．個人ＩＣタグ５０を移動体１１、例えば、学童等のシャツのボタンに取り付け、次い    で、
ｂ．移動体１１が携行するモバイル端末３０と個人ＩＣタグ２０との間で通信を開始する    。次いで、
ｃ．任意の設定時間、例えば、２分毎に通信処理を行い、両者の間で通信が可能な場合に    は、工程ｃのチェック動作を繰り返し、通信が不可能な場合には、
ｓ．モバイル端末３０からモバイル端末３０の通信範囲内にある固定ＩＣリーダー６０に    情報を発信する。次いで、
ｔ．情報を受信した固定ＩＣリーダー６０から管理サーバー７０に情報を転送する。次い    で、
ｏ．管理サーバー７０から管理サーバー７０と情報ネットワークを形成している各固定Ｉ    Ｃリーダー６０に情報、即ち、情報を収集する固定ＩＣタグ５０の識別番号を発信し    、次いで、
ｐ. 固定ＩＣリーダー６０で近傍を通過する個人ＩＣタグ５０のメモリ部５６に格納され    ている識別番号の収集を開始し、固定ＩＣリーダー６０に必要な情報か否か、即ち、    通過する個人ＩＣタグ５０の識別番号か否かを判定し、必要な情報でない場合には情    報収集を繰り返し、必要な情報の場合には、
ｑ．固定ＩＣリーダー６０のＦＲＡＭ６５1 に収集した情報を記録する。次いで、
ｒ．固定ＩＣリーダー６０から管理サーバー７０へデータを送信する。
【００７５】
この実施例６においては、まず、情報ネットワークが確立している近傍の固定ＩＣリーダー６０にモバイル端末３０から情報を発信しているので、モバイル端末３０の通信能力が低い場合にも、固定ＩＣリーダー６０を介して管理サーバー７０に情報を送信することができ、リアルタイムに必要とする個人ＩＣタグ５０の情報を収集することができる。
【実施例７】
【００７６】
ここで、図１２及び図１３を参照して、本発明の実施例７の位置情報追跡システムを説明する。
図１２参照  
図１２は、本発明の実施例７の位置情報追跡システムの概念的構成図であり、例えば、児童等の移動体１１に携行させるアクティブ型の個人ＩＣタグ２０、典型的には携帯電話であるところのＩＣリーダーを構成するモバイル端末３０、電信柱等の固定物１２に固定する固定ＩＣリーダー６０、及び、管理サーバー７０によって構成するとともに、固定ＩＣリーダー６０と管理サーバー７０との間に情報ネットワークを形成する。
なお、この場合の各ＩＣタグは、ＵＨＦタグとする。
【００７７】
この場合、個人ＩＣタグ２０はシャツのボタン等の衣類に装着したり、腕時計の内部に装着したり、靴の中に装着すれば良く、一方、固定ＩＣリーダー６０は、下図に示すように、所定の最小間隔を保つように例えば、道路に沿って設置されている電信柱、信号機、及び、交通標識に適宜設置・固定するものである。
【００７８】
なお、場合の個人ＩＣタグ２０及びモバイル端末３０は上記の実施例１と全く同じ構成であり、また、固定ＩＣリーダー６０は上記の実施例５と全く同じ構成であるので図示は  
【００７９】
図１３参照  
図１３は、本発明の実施例７の位置情報追跡システムにおける動作フローチャートであり、まず、
ａ．個人ＩＣタグ２０を移動体１１、例えば、学童等のシャツのボタンに取り付け、次い    で、
ｂ．移動体１１が携行するモバイル端末３０と個人ＩＣタグ２０との間で通信を開始する    。次いで、
ｃ．任意の設定時間、例えば、２分毎に通信処理を行い、両者の間で通信が可能な場合も    は、工程ｃのチェック動作を繰り返し、通信が不可能な場合には、
ｄ．個人ＩＣタグ２０のバッテリ２７を電源として、識別番号を含んだ電波を発信する。
次いで、
ｔ．情報を受信した固定ＩＣリーダー６０から管理サーバー７０に情報を転送し、次い      で、
ｏ．管理サーバー７０から管理サーバー７０と情報ネットワークを形成している各固定Ｉ    Ｃリーダー６０に情報、即ち、情報を収集する固定ＩＣタグ２０の識別番号を発信し    、次いで、
ｐ. 固定ＩＣリーダー６０で近傍を通過する個人ＩＣタグ２０のメモリ部５６に格納され    ている識別番号の収集を開始し、固定ＩＣリーダー６０に必要な情報か否か、即ち、    通過する個人ＩＣタグ５０の識別番号か否かを判定し、必要な情報でない場合には情    報収集を繰り返し、必要な情報の場合には、
ｑ．固定ＩＣリーダー６０のＦＲＡＭ６５1 に収集した情報を記録する。次いで、
ｒ．固定ＩＣリーダー６０から管理サーバー７０へデータを送信する。
【００８０】
上記の実施例５或いは実施例６の場合には、モバイル端末３０が通信可能な状態を前提としているが、誘拐事件の場合には、犯人が被害者の所有するモバイル端末、典型的には携帯電話の電源をオフにする可能性が高いため、管理サーバーに情報を発信することが不可能な場合が多い。
【００８１】
一方、この実施例７においては、個人ＩＣタグとしてアクティブ型のＩＣタグを用いているので、モバイル端末の電源がオフになってる場合にも、誘拐発生情報を管理サーバーに送信することができるので、リアルタイムに且つ無駄な情報を収集することなく位置追跡が可能となる。
【００８２】
以上、本発明の各実施例を説明してきたが、本発明は各実施例に記載した条件・構成に限られるものではなく、各種の変更が可能であり、例えば、各実施例においては言及していないが、各固定ＩＣタグ或いは各固定ＩＣリーダーのメモリ部に格納された情報を集約するに当たっては、暗号コードを設定しておくことが望ましく、この暗号コードを警察や行政機関のみが保持することによって、盗聴マニア等の一般人にメモリ部に格納された情報を読み取られることを防止することができ、個人のプライバシーを保護することができる。
【００８３】
また、上記の実施例５乃至実施例７においては、特に言及していないが上記の実施例２と同様に追跡解除キーの操作工程を同様の工程順序箇所に追加しても良いものであり、それによって、無駄な情報を発信・収集を回避することができる。
【００８４】
また、上記の実施例５乃至実施例７においては、特に言及していないが上記の実施例３と同様に追跡解除キーの操作の後に、通信が再開した場合に、固定ＩＣリーダー或いは管理サーバーに対してその旨の情報を発信して、固定ＩＣリーダーによる特定識別番号の個人ＩＣタグの情報収集を中止しても良いものであり、それによって、無駄な情報を発信・収集を回避することができる。
【００８５】
また、上記の実施例５乃至実施例７においては、特に言及していないが上記の実施例４と同様に固定ＩＣリーダーによる情報収集が一定期間を超えた場合に、固定ＩＣリーダーのＦＲＡＭに記録した情報を消去しても良いし、或いは、一定期間経過した情報を記録しているメモリセル領域に対する上書きを可能にするようにしても良く、それによって、固定ＩＣリーダーに内蔵するＦＲＡＭの容量を６４ｋｂｉｔ等の低容量メモリで構成することができ、それによって、固定ＩＣリーダーの低コスト化、延いては、位置情報追跡システムを低コストで構築することが可能になる。
【００８６】
また、上記の各実施例においては、メモリ部を構成する書き換え可能なメモリ部を、低消費電力性を考慮してＦＲＡＭで構成しているが、ＦＲＡＭに限られるものではなく、フラッシュメモリ或いはＭＲＡＭ等の他の不揮発性メモリを用いても良いものである。
【００８７】
また、上記の各実施例においては、ＩＣタグ或いはＩＣリーダーの通信周波数帯域を通信可能距離を考慮してＵＨＦ帯域としているが、ＵＨＦ帯域に限られるものではなく、１３．５６ＭＨｚ或いは２．４５ＧＨｚ等の他の周波数帯域を利用するＩＣタグ或いはＩＣリーダーを用いても良いことは言うまでもない。
【００８８】
また、上記の各実施例においては、モバイル端末として携帯電話を想定しているが、携帯電話に限られるものではなく、自己内臓電源によって固定ＩＣリーダー或いは管理サーバーとの間で通信可能な性能を有するものであれば良い。
【００８９】
また、上記の各実施例においては、学童誘拐或いは児童誘拐を想定しているが、位置情報追跡の対象となるのは、学童或いは児童に限られるものではなく、ＯＬを始めとする一般人の失踪対策や、認知症患者の徘徊監視にも適用されるものである。
なお、認知症患者の徘徊監視の場合には、モバイル端末は、認知症患者の居住室や家庭内に固定しておけば良い。
【００９０】
また、追跡対象は人間に限られるものではなく、愛玩用犬或いは愛玩用猫等の逃亡追跡にも適用されるものであり、この場合には、ペットの首輪等に個人ＩＣタグを装着し、散歩の際にはモバイル端末を携行し、在宅の場合にはモバイル端末の追跡解除キーを押すとともに、追跡解除キーの有効期間を２４時間等に設定するすることによって毎日の散歩の際の逃亡対策が可能になる。
【００９１】
さらに、追跡対象は生物に限られるものではなく、美術品や搬送貨物の盗難対策にも適用されるものであり、例えば、美術品や搬送貨物の梱包物品単位に個人ＩＣタグを装着し、美術品や搬送貨物の近傍にモバイル端末を配置して置けば良い。
但し、この場合には、個人ＩＣタグをアクティブ型ＩＣタグとするとともに、その通信可能エリアを広く設定することが望ましい。
【００９２】
また、上記の実施例１乃至実施例４及び実施例７においては、アクティブ型ＩＣタグに内蔵するバッテリとして薄型乾電池を想定しているが、乾電池に限られるものではなく、蓄電池等の二次電池を用いても良いものであり、この場合には、モバイル端末との間の定期的に通信を交わす工程において、情報収集に必要な時間以上にモバイル端末から電磁波を供給して、二次電池に電力を逐次供給するようにしても良く、位置情報を追跡が開示された場合には、固定ＩＣリーダーから情報収集に必要な時間以上に電磁波を供給して、二次電池に電力を逐次供給するようにしても良い。
【００９３】
ここで再び図１を参照して、本発明の詳細な特徴を改めて説明する。
再び、図１参照  
（付記１）  固定物１に設置された固定電子タグ２と、識別番号が記録されるとともに、電磁波６を発生させるリーダー機能とバッテリとを有する移動体用電子タグ４と、携帯通信機器端末５の端末電子タグ用リーダーとからなり、前記携帯通信機器端末５は前記移動体用電子タグ４と該携帯通信機器端末５とを一定の時間で通信する機能を有し、前記携帯通信機器端末５と前記移動体用電子タグ４の通信が途切れた場合、前記移動体用電子タグ４は前記内蔵するバッテリを電源として電磁波６を発生させ、前記識別番号を固定電子タグ２へ発信することを特徴とする電子タグシステム。
（付記２）  上記携帯通信機器端末５が追跡解除キーを備えており、前記追跡解除キーを押すことによって、前記携帯通信機器端末５と上記移動体用電子タグ４の通信機能を一時停止させることを特徴とする付記１記載の電子タグシステム。
（付記３）  上記携帯通信機器端末５が追跡解除キーは、指紋照合或いは暗号入力からなる解除手段が実行された後に追跡解除処置が可能になることを特徴とする付記２記載の電子タグシステム。
（付記４）  上記携帯通信機器端末５の追跡解除処置において、任意の追跡解除時間を設定する機能を有することを特徴とする付記３記載の電子タグシステム。
（付記５）  上記携帯通信機器端末５の追跡解除処置において、設定した追跡解除時間を移動体用電子タグ４に転送することを特徴とする付記４記載の電子タグシステム。
（付記６）  上記追跡解除キーを押したのち、予め定めた所定時間を経過した場合に、上記移動体用電子タグ４により上記内蔵するバッテリを電源として電磁波６を発生させ、上記識別番号を固定電子タグ２へ発信することを特徴とする付記２乃至５のいずれか１に記載の電子タグシステム。
（付記７）  上記携帯通信機器端末５と上記移動体用電子タグ４の通信が途切えたのち、再度、前記携帯通信機器端末５と前記移動体用電子タグ４の通信が再開された場合、前記移動体用電子タグ４における前記電磁波６の発生を中止することを特徴とする付記１乃至６のいずれか１に記載の電子タグシステム。
（付記８）  上記固定電子タグ２は、上記移動体用電子タグ４から発信された電磁波６から電力を得、前記移動体用電子タグ４から発信された上記識別番号を記録することを特徴とする付記１乃至７のいずれか１に記載の電子タグシステム。
（付記９）  上記固定電子タグ２に記録した情報は、予め定めた所定期間の経過後に消去することを特徴とすることを特徴とする付記１乃至８のいずれか１に記載の電子タグシステム。
（付記１０）  上記固定電子タグ２に記録された情報の読み取りの際に、暗号コードを必要とすることを特徴とする付記１乃至９のいずれか１に記載の電子タグシステム。
（付記１１）  上記固定電子タグ２は、上記移動体用電子タグ４から発信された識別番号とともに、発信日時を記録できることを特徴とする付記１乃至１０のいずれか１に記載の電子タグシステム。
（付記１２）  固定物１に設置された固定電子タグ用リーダーと、前記固定電子タグ用リーダーから情報を抽出する情報ネットワークと、得られた情報を管理する管理サーバーと、識別番号が記録された移動体用電子タグ４と、携帯通信機器端末５の端末電子タグ用リーダーからなり、前記携帯通信機器端末５には前記移動体用電子タグ４と該携帯通信機器端末５とを一定の時間で通信する機能を有し、前記携帯通信機器端末５と前記移動体用電子タグ４の通信が途切れた場合、前記携帯通信機器端末５から前記管理サーバーに情報を発信し、前記固定電子タグ用リーダーから、特定の識別番号の入っている移動体用電子タグ４の情報のみを読み取ることを特徴とする電子タグシステム。
（付記１３）  上記携帯通信機器端末５と上記移動体用電子タグ４の通信が途切えたのち、再度、前記携帯通信機器端末５と前記移動体用電子タグ４の通信が再開された場合、携帯通信機器端末５から管理サーバーに情報を発信し、特定の識別番号の入っている移動体用電子タグ４の情報収集を中止することを特徴とする付記１２記載の電子タグシステム。
（付記１４）  上記固定電子タグ用リーダーは、その通信範囲から移動体用電子タグ４に内蔵されている情報を読み取り、読み取った情報と得たい情報とを比較し、前記得たい情報があった場合のみ、前記電子タグ用リーダーのメモリ部へ前記読み取った情報を記憶することを特徴とする付記１２または１３に記載の電子タグシステム。
（付記１５）  上記携帯通信機器端末５が追跡解除キーを備えており、前記追跡解除キーを押すことによって、前記携帯通信機器端末５と前記移動体用電子タグ４の通信機能を一時停止させて、前記携帯通信機器端末５の通信機能を一時停止させることを特徴とする付記１２乃至１４のいずれか１に記載の電子タグシステム。
（付記１６）  上記追跡解除キーを押したのち、予め定めた所定時間を経過した場合に、上記携帯通信機器端末５から上記管理サーバーに情報を発信し、上記固定電子タグ用リーダーから、特定の識別番号の入っている移動体用電子タグ４に内蔵されている情報のみを読み取ることを特徴とする付記１５記載の電子タグシステム。
（付記１７）  固定物１に設置された固定電子タグ用リーダーと、前記固定電子タグ用リーダーから情報を抽出する情報ネットワークと、得られた情報を管理する管理サーバーと、識別番号が記録されるとともに電磁波６を発生させるリーダー機能とバッテリとを有する移動体用電子タグ４と、携帯通信機器端末５の端末電子タグ用リーダーとからなり、前記携帯通信機器端末５には前記移動体用電子タグ４と該携帯通信機器端末５とを一定の時間で通信する機能を有し、前記携帯通信機器端末５と前記移動体用電子タグ４の通信が途切れた場合、前記移動体用電子タグ４は前記バッテリを電源として電磁波６を発生させ、前記識別番号を前記固定物１電子タグ用リーダーへ発信することを特徴とする電子タグシステム。
（付記１８）  上記管理サーバーが、上記識別番号の移動履歴の確認機能を有することを特徴とする付記１７記載の電子タグシステム。
（付記１９）  上記移動体用電子タグ４の通信周波数帯が、４３３ＭＨｚ〜９６０ＭＨｚであること特徴とする付記１乃至１８のいずれか１に記載の電子タグシステム。
（付記２０）  上記移動体電子タグに内蔵されるメモリ部が、フラッシュメモリー、強誘電体メモリ、或いは、磁気ランダムアクセスメモリのうちのいずれかからなる不揮発性メモリで構成されていることを特徴とする付記１乃至１９のいずれか１に記載の電子タグシステム。
【産業上の利用可能性】
【００９４】
本発明の活用例としては、児童誘拐対策が典型的なものであるが、学童に限られるものではなく、一般人にも適用されるものであり、さらには、犬や猫の逃亡・迷子対策等にも適用されるものである。
【図面の簡単な説明】
【００９５】
【図１】本発明の原理的構成の説明図である。
【図２】本発明の実施例１の位置情報追跡システムの概念的構成図である。
【図３】本発明の実施例１における個人ＩＣタグ、モバイル端末及び固定ＩＣタグの構成説明図である。
【図４】本発明の実施例１の位置情報追跡システムにおける動作フローチャートである。
【図５】本発明の実施例２の位置情報追跡システムにおける動作フローチャートである。
【図６】本発明の実施例３の位置情報追跡システムにおける動作フローチャートである。
【図７】本発明の実施例４の位置情報追跡システムにおける動作フローチャートである。
【図８】本発明の実施例５の位置情報追跡システムの概念的構成図である。
【図９】本発明の実施例５における個人ＩＣタグ、モバイル端末及び固定ＩＣリーダーの構成説明図である。
【図１０】本発明の実施例５の位置情報追跡システムにおける動作フローチャートである。
【図１１】本発明の実施例６の位置情報追跡システムにおける動作フローチャートである。
【図１２】本発明の実施例７の位置情報追跡システムの概念的構成図である。
【図１３】本発明の実施例７の位置情報追跡システムにおける動作フローチャートである。
【符号の説明】
【００９６】
１  固定物
２  固定電子タグ
３  移動体
４  移動体用電子タグ
５  携帯通信機器端末
６  電磁波
１１  移動体
１２  固定物
２０  個人ＩＣタグ
２１  アンテナ
２２  整流器
２３  復調器
２４  変調器
２５  制御部
２６  メモリ部
２６1   ＦＲＡＭ
２６2   ＲＯＭ
２７  バッテリ
３０  モバイル端末
３１  アンテナ
３２  送信器
３３  受信器
３４  制御部
３５  メモリ部
３５1   ＦＲＡＭ
３５2   ＲＯＭ
３６  バッテリ
４０  固定ＩＣタグ
４１  アンテナ
４２  整流器
４３  復調器
４４  変調器
４５  制御部
４６  メモリ部
４６1   ＦＲＡＭ
４６2   ＲＯＭ
５０  個人ＩＣタグ
５１  アンテナ
５２  整流器
５３  復調器
５４  変調器
５５  制御部
５６  メモリ部
５６1   ＦＲＡＭ
５６2   ＲＯＭ
６０  固定ＩＣリーダー
６１  アンテナ
６２  送信器
６３  受信器
６４  制御部
６５  メモリ部
６５1   ＦＲＡＭ
６５2   ＲＯＭ
６６  バッテリ
７０  管理サーバー
【図１】
2008113308.tif 000003
【図２】
2008113308.tif 000004
【図３】
2008113308.tif 000005
【図４】
2008113308.tif 000006
【図５】
2008113308.tif 000007
【図６】
2008113308.tif 000008
【図７】
2008113308.tif 000009
【図８】
2008113308.tif 000010
【図９】
2008113308.tif 000011
【図１０】
2008113308.tif 000012
【図１１】
2008113308.tif 000013
【図１２】
2008113308.tif 000014
【図１３】
2008113308.tif 000015